【手続補正書】
【提出日】平成21年1月16日(2009.1.16)
【手続補正１】
【補正対象書類名】特許請求の範囲
【補正対象項目名】全文
【補正方法】変更
【補正の内容】
【特許請求の範囲】
【請求項１】
基地局が構成する無線ネットワークの無線パラメータを管理する管理装置から、無線通信装置に対して前記基地局を介して無線パラメータを設定する方法において、
前記基地局において無線パラメータの設定開始を指示するための操作が行われた場合に、前記基地局は無線パラメータの設定処理の開始を前記管理装置に対して要求し、
前記管理装置は前記基地局からの前記要求を受信すると、無線パラメータの設定開始の可否を含む無線パラメータ設定情報を前記基地局に対して通知し、
前記基地局は、前記管理装置から通知された前記無線パラメータ設定情報を前記無線通信装置に対して通知し、
前記無線通信装置は、前記基地局から通知された前記無線パラメータ設定情報に基づいて、前記管理装置との間で前記基地局を介して無線パラメータの設定処理を実行、または中止することを特徴とする無線パラメータの設定方法。
【請求項２】
基地局が構成する無線ネットワークの無線パラメータを管理する管理装置から、無線通信装置に対して前記基地局を介して無線パラメータを設定するシステムにおける基地局であって、
無線パラメータの設定開始を指示するための操作を検出する検出手段と、
前記検出手段により無線パラメータの設定開始を指示するための操作が検出された場合に、前記管理装置に対して無線パラメータの設定開始を要求する要求手段と、
前記要求手段による要求に対する応答として前記管理装置が送信した、無線パラメータの設定開始の可否を含む無線パラメータ設定情報を前記無線通信装置に対して通知する通知手段と、を有し、
前記無線通信装置は、前記基地局から通知された前記無線パラメータ設定情報に基づいて、前記管理装置との間で前記基地局を介して無線パラメータの設定処理を実行、または中止することを特徴とする基地局。
【請求項３】
前記基地局に登録されている管理装置を管理する管理手段と、
前記検出手段により無線パラメータの設定開始を指示するための操作が検出された場合に、前記管理手段により管理されている複数の管理装置の中から、無線パラメータの設定開始を要求する管理装置を選択する選択手段と、を有し、
前記要求手段は、前記選択手段により選択した管理装置に対して、無線パラメータの設定開始を要求することを特徴とする請求項２記載の基地局。
【請求項４】
前記要求手段による要求に対する応答を一定時間内に受信できない場合は、前記選択手段は前記管理手段により管理されている他の管理装置を選択し、
前記要求手段は、前記選択手段により選択した管理装置に対して、無線パラメータの設定開始を要求することを特徴とする請求項３記載の基地局。
【請求項５】
前記通知手段は、管理装置にて管理されている無線パラメータの設定機能を備える基地局を探索するための信号を前記無線通信装置から受信した場合に、前記無線パラメータ設定情報を通知することを特徴とする請求項２から４のいずれか１項に記載の基地局。
【請求項６】
前記無線パラメータ設定情報は、無線パラメータ設定の能力情報又は手順情報を含むことを特徴とする請求項２から５のいずれか１項に記載の基地局。
【請求項７】
基地局が構成する無線ネットワークの無線パラメータを管理する管理装置から、無線通信装置に対して前記基地局を介して無線パラメータを設定するシステムにおける前記管理装置であって、
前記基地局において無線パラメータの設定開始を指示するための操作が行われた場合に前記基地局から送信される、無線パラメータの設定開始の要求を受信する受信手段と、
前記受信手段による受信に応じて、無線パラメータの設定処理を実行中か否かを判別する判別手段と、
前記判別手段による判別結果に応じて、前記基地局に対して、無線パラメータ設定開始の可否を含む無線パラメータ設定情報を送信する送信手段と、
送信手段により無線パラメータ設定開始が可能であることを示す無線パラメータ設定情報を送信した場合、前記基地局から前記無線パラメータ設定情報を受信した無線通信装置との間で、前記基地局を介して無線パラメータの設定処理を実行する実行手段と、
を有することを特徴とする管理装置。
【請求項８】
無線パラメータの設定開始を指示するための操作を検出する検出手段を有し、
前記検出手段により無線パラメータの設定開始を指示するための操作が検出された際に、無線パラメータの設定処理を実行中の場合は、前記送信手段は、前記基地局に対して、無線パラメータの設定が不可能であることを示す情報を送信することを特徴とする請求項７記載の管理装置。
【請求項９】
前記無線パラメータ設定情報は、無線パラメータ設定の能力情報又は手順情報を含むことを特徴とする請求項７又は８記載の管理装置。
【請求項１０】
基地局が構成する無線ネットワークの無線パラメータを管理する管理装置から、無線通信装置に対して前記基地局を介して無線パラメータを設定するシステムにおける基地局の制御方法であって、
前記基地局において無線パラメータの設定開始を指示するための操作が行われた場合に、前記管理装置に対して無線パラメータの設定開始を要求するための要求工程と、
前記要求工程における要求に対する応答として前記管理装置が送信した無線パラメータの設定開始の可否を含む無線パラメータ設定情報を、前記無線通信装置に対して通知するための通知工程と、を有し、
前記無線通信装置は、前記基地局から通知された前記無線パラメータ設定情報に基づいて、前記管理装置との間で前記基地局を介して無線パラメータの設定処理を実行、または中止することを特徴とする制御方法。
【請求項１１】
基地局が構成する無線ネットワークの無線パラメータを管理する管理装置から、無線通信装置に対して前記基地局を介して無線パラメータを設定するシステムにおける前記管理装置の制御方法であって、
前記基地局に対して無線パラメータの設定開始を指示するための操作が行われた場合に前記基地局から送信される、無線パラメータの設定開始の要求を受信するための受信工程と、
前記受信工程における受信に応じて、無線パラメータの設定処理を実行中か否かを判別するための判別工程と、
前記判別工程における判別結果に応じて、前記基地局に対して、無線パラメータ設定開始の可否を含む無線パラメータ設定情報を送信するための送信工程と、
前記送信工程において無線パラメータ設定開始が可能であることを示す無線パラメータ設定情報を送信した場合、前記基地局から前記無線パラメータ設定情報を受信した無線通信装置との間で、前記基地局を介して無線パラメータの設定処理を実行する実行工程と、
を有することを特徴とする制御方法。
【請求項１２】
請求項１０又は１１の制御方法をコンピュータに実行させるためのコンピュータプログラム。
【手続補正２】
【補正対象書類名】明細書
【補正対象項目名】０００９
【補正方法】変更
【補正の内容】
【０００９】
上記課題を解決するために、本発明は、基地局が構成する無線ネットワークの無線パラメータを管理する管理装置から、無線通信装置に対して前記基地局を介して無線パラメータを設定する方法において、前記基地局において無線パラメータの設定開始を指示するための操作が行われた場合に、前記基地局は無線パラメータの設定処理の開始を前記管理装置に対して要求し、前記管理装置は前記基地局からの前記要求を受信すると、無線パラメータの設定開始の可否を含む無線パラメータ設定情報を前記基地局に対して通知し、前記基地局は、前記管理装置から通知された前記無線パラメータ設定情報を前記無線通信装置に対して通知し、前記無線通信装置は、前記基地局から通知された前記無線パラメータ設定情報に基づいて、前記管理装置との間で前記基地局を介して無線パラメータの設定処理を実行、または中止することを特徴とする。
【手続補正３】
【補正対象書類名】明細書
【補正対象項目名】００１０
【補正方法】変更
【補正の内容】
【００１０】
また、本発明は、基地局が構成する無線ネットワークの無線パラメータを管理する管理装置から、無線通信装置に対して前記基地局を介して無線パラメータを設定するシステムにおける基地局であって、無線パラメータの設定開始を指示するための操作を検出する検出手段と、前記検出手段により無線パラメータの設定開始を指示するための操作が検出された場合に、前記管理装置に対して無線パラメータの設定開始を要求する要求手段と、前記要求手段による要求に対する応答として前記管理装置が送信した、無線パラメータの設定開始の可否を含む無線パラメータ設定情報を前記無線通信装置に対して通知する通知手段と、を有し、前記無線通信装置は、前記基地局から通知された前記無線パラメータ設定情報に基づいて、前記管理装置との間で前記基地局を介して無線パラメータの設定処理を実行、または中止することを特徴とする。
【手続補正４】
【補正対象書類名】明細書
【補正対象項目名】００１１
【補正方法】変更
【補正の内容】
【００１１】
さらにまた、本発明は、基地局が構成する無線ネットワークの無線パラメータを管理する管理装置から、無線通信装置に対して前記基地局を介して無線パラメータを設定するシステムにおける前記管理装置であって、前記基地局において無線パラメータの設定開始を指示するための操作が行われた場合に前記基地局から送信される、無線パラメータの設定開始の要求を受信する受信手段と、前記受信手段による受信に応じて、無線パラメータの設定処理を実行中か否かを判別する判別手段と、前記判別手段による判別結果に応じて、前記基地局に対して、無線パラメータ設定開始の可否を含む無線パラメータ設定情報を送信する送信手段と、送信手段により無線パラメータ設定開始が可能であることを示す無線パラメータ設定情報を送信した場合、前記基地局から前記無線パラメータ設定情報を受信した無線通信装置との間で、前記基地局を介して無線パラメータの設定処理を実行する実行手段と、
を有することを特徴とする。